(57)【要約】      （修正有）【課題】携帯型の操作端末を用いて、複数の操作端末間での情報の移動などの操作を実行することで、より自由度の高い映像監視システムの運用を実現することができるアプリケーション管理システムを提供する。【解決手段】タッチパネル式の操作端末を用いて、複数の操作端末間でタッチを伴う簡易的なジェスチャ操作を実行して、加速度センサや近距離無線通信やメール等と連携して権限譲渡相手を検索し決定し、他の許可された端末にログイン権限を譲渡することで、映像監視インターフェースソフトへのログイン権限を譲渡することができ、自由度の高い映像監視システムの運用を実現することができる。【選択図】図１
2015226089.tif 000002
【特許請求の範囲】
【請求項１】
前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、所定の現象を検知する検知手段と、を有し、前記アプリケーションよって実行されるシステムに所定のアカウントでログインしている第一の操作端末と、ログインしていない第二の操作端末と、
前記操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、
を備え、
前記第一の操作端末および前記第二の操作端末では、前記検知手段により所定の現象を検知すると、前記制御手段が前記所定の事象を検知したことを検知信号として前記通信手段を介して前記サーバへ送信し、
前記サーバでは、前記第一の操作端末または前記第二の操作端末より前記検知信号を受信すると、前記制御手段が同じタイミングで検知信号を送信した操作端末の存在の有無を判定し、有と判断した場合に、前記データベースを参照し、前記第二の操作端末に対し前記第一の操作端末がログインしているアカウントでのログインが許可されているか否かを判定し、許可されていた場合に、前記第一の操作端末から前記第二の操作端末に対して前記アカウントの操作権限を譲渡することを特徴とすることを特徴とする映像表示システム。
【請求項２】
前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、近距離無線通信により他の操作端末と情報を送受信する近距離通信手段と、を有し、前記アプリケーションよって実行されるシステムに所定のアカウントでログインしている第一の操作端末と、ログインしていない第二の操作端末と、
前記操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、
を備え、
前記第一の操作端末および前記第二の操作端末では、前記近距離手段により互いの機器情報が送受信されると、前記制御手段が前記機器情報を受信したことを検知信号として前記通信手段を介して前記サーバへ送信し、
前記サーバでは、前記第一の操作端末および前記第二の操作端末より前記検知信号を受信すると、前記データベースを参照し、前記第二の操作端末に対し前記第一の操作端末がログインしているアカウントでのログインが許可されているか否かを判定し、許可されていた場合に、前記第一の操作端末から前記第二の操作端末に対して前記アカウントの操作権限を譲渡することを特徴とすることを特徴とする映像表示システム。
【請求項３】
前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、を有し、前記アプリケーションよって実行されるシステムに所定のアカウントでログインしている第一の操作端末と、ログインしていない第二の操作端末と、
前記操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、
を備え、
前記第一の操作端末では、現在ログインしているアカウントの権限譲渡先検索要求を前記通信手段を介して前記サーバへ送信し、
前記サーバでは、前記第一の操作端末より権限譲渡先検索要求を受信すると、前記データベースを参照し、前記第一の操作端末がログインしているアカウントでのログインが許可されている操作端末を検索し、許可されている前記操作端末に関する情報を前記通信手段を介して前記第一の端末に送信し、
前記第一の端末は、前記許可されている前記操作端末に関する情報に基づいて、前記第二の操作端末に対して権限譲渡する旨の譲渡先指定通知を前記通信手段を介して前記サーバへ送信し、
前記サーバは、前記譲渡先指定通知を受信すると、前記第一の操作端末から指定された前記第二の操作端末に対して前記アカウントの操作権限を譲渡することを特徴とすることを特徴とする映像表示システム。
【発明の詳細な説明】
【技術分野】
【０００１】
本発明は、監視カメラを用いた映像表示システムなどのアプリケーションにおける、操作端末での操作および管理に関する。
【背景技術】
【０００２】
アプリケーション管理システムとしての一例である映像表示システムは、ホテルやビル、コンビニエンスストア、金融機関、ダム、道路等といった様々な公共施設や民間施設等において、犯罪や事故の防止、事件や事故の事後解析等の目的で導入されている。一般的な映像表示システムでは、カメラで監視対象エリアを撮像し、撮像した映像をネットワークを介して管理事務所や警備室等の監視センタや記録装置に伝送し、伝送された映像により監視者が監視対象を監視して目的や必要に応じて注意や警告をしたり、伝送された映像を記録装置に記録したりしている。
【０００３】
この様な従来の監視システムの場合、監視者がモニタとマウス等のポインティングデバイスを備えるパソコンなどのコンピュータを用いて、ＧＵＩ（Graphical User Interface）画面からカメラのパン・チルト・ズームを操作したり、監視映像を閲覧したりすることで、監視対象領域を監視している。
【０００４】
なお、従来技術として、監視端末にＷｅｂブラウザ形式で表示したＧＵＩ画面からカメラを制御したり、撮像した映像を表示したりする映像表示システムが開示されている（特許文献１を参照）。
【０００５】
一方、近年、スマートフォンやタブレットと呼ばれるタッチパネルを用いた可搬型の通信端末が普及しており、これらを用いて映像監視することが望まれている。
【先行技術文献】
【特許文献】
【０００６】
【特許文献１】特開２０１１−０５５４２３号公報
【発明の概要】
【発明が解決しようとする課題】
【０００７】
従来の据え置き型の操作端末では、監視する場所が固定されているため、他の操作端末との連携という発想が生じなかったが、このように操作端末がポータブルなものになると、監視員は監視する場所を選ばず、より自由度の高い他の監視員の操作端末との連携が考えられるようになる。
本発明は、この様な要望を鑑みて為されたものであり、複数の操作端末を用いて、映像表示システムを操作するための映像表示インターフェースによるより自由度の高い他の操作端末との連携システムを提供することを目的とする。
【課題を解決するための手段】
【０００８】
上記課題を解決するために、本発明のアプリケーション管理システムは、前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、所定の現象を検知する検知手段と、を有し、前記アプリケーションよって実行されるシステムに所定のアカウントでログインしている第一の操作端末と、ログインしていない第二の操作端末と、操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、を備え、前記第一の操作端末および前記第二の操作端末では、前記検知手段により所定の現象を検知すると、前記制御手段が前記所定の事象を検知したことを検知信号として前記通信手段を介して前記サーバへ送信し、前記サーバでは、前記第一の操作端末または前記第二の操作端末より前記検知信号を受信すると、前記制御手段が同じタイミングで検知信号を送信した操作端末の存在の有無を判定し、有と判断した場合に、前記データベースを参照し、前記第二の操作端末に対し前記第一の操作端末がログインしているアカウントでのログインが許可されているか否かを判定し、許可されていた場合に、前記第一の操作端末から前記第二の操作端末に対して前記アカウントの操作権限を譲渡する。
【０００９】
また、上記課題を解決するために、本発明のアプリケーション管理システムは、前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、近距離無線通信により他の操作端末と情報を送受信する近距離通信手段と、を有し、前記アプリケーションよって実行されるシステムに所定のアカウントでログインしている第一の操作端末と、ログインしていない第二の操作端末と、操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、を備え、前記第一の操作端末および前記第二の操作端末では、前記近距離手段により互いの機器情報が送受信されると、前記制御手段が前記機器情報を受信したことを検知信号として前記通信手段を介して前記サーバへ送信し、前記サーバでは、前記第一の操作端末および前記第二の操作端末より前記検知信号を受信すると、前記データベースを参照し、前記第二の操作端末に対し前記第一の操作端末がログインしているアカウントでのログインが許可されているか否かを判定し、許可されていた場合に、前記第一の操作端末から前記第二の操作端末に対して前記アカウントの操作権限を譲渡する。
【００１０】
また、上記課題を解決するために、本発明のアプリケーション管理システムは、前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、を有し、前記アプリケーションよって実行されるシステムに所定のアカウントでログインしている第一の操作端末と、ログインしていない第二の操作端末と、操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、を備え、前記第一の操作端末では、現在ログインしているアカウントの権限譲渡先検索要求を前記通信手段を介して前記サーバへ送信し、前記サーバでは、前記第一の操作端末より権限譲渡先検索要求を受信すると、前記データベースを参照し、前記第一の操作端末がログインしているアカウントでのログインが許可されている操作端末を検索し、許可されている前記操作端末に関する情報を前記通信手段を介して前記第一の端末に送信し、前記第一の端末は、前記許可されている前記操作端末に関する情報に基づいて、前記第二の操作端末に対して権限譲渡する旨の譲渡先指定通知を前記通信手段を介して前記サーバへ送信し、前記サーバは、前記譲渡先指定通知を受信すると、前記第一の操作端末から指定された前記第二の操作端末に対して前記アカウントの操作権限を譲渡する。
【発明の効果】
【００１１】
本発明によれば、携帯型の操作端末を用いて、複数の操作端末間での情報の移動などの操作を実行することで、より自由度の高い映像監視システムの運用を実現することができる。
【図面の簡単な説明】
【００１２】
【図１】本発明の映像表示システムの全体構成と操作端末およびサーバの内部構成を示すブロック図である。
【図２】本発明の映像表示システムの監視画面の一例を示す図である。
【図３】本発明の映像表示システムの監視画面における権限譲渡のための操作画面の一例である。
【図４】本発明の映像表示システムの監視画面における権限譲渡のための操作画面の一例である。
【図５】本発明の映像表示システムの監視画面における権限譲渡のための操作画面の一例である。
【図６】本発明の映像表示システムの監視画面における権限譲渡のための操作画面の一例である。
【図７】本発明の映像表示システムの監視画面における権限譲受のための操作画面の一例である。
【図８】本発明の映像表示システムの監視画面における権限譲受のための操作画面の一例である。
【図９】本発明の映像表示システムの監視画面における権限譲受のための操作画面の一例である。
【図１０】本発明の映像表示システムの端末ごとの対応する操作権限を示す権限管理表である。
【図１１】本発明の映像表示システムにおける権限譲渡の様子の一例を示すタイミングチャートである。
【図１２】本発明の映像表示システムにおける権限譲渡の様子の一例を示すタイミングチャートである。
【図１３】本発明の映像表示システムにおける権限譲渡の様子の一例を示すタイミングチャートである。
【発明を実施するための形態】
【００１３】
以下、図面を参照して本発明のアプリケーション管理システムの一実施形態である映像表示システムについて詳細に説明する。
図１は、本発明の映像表示システムの全体構成と操作端末の内部構成を示すブロック図である。
【００１４】
図１に示す映像表示システムは、監視領域を撮像するパン・チルト・ズーム機能搭載のカメラ１−１〜１−ｎ（特に区別しない場合はカメラ１と呼ぶ）、ＨＤＤ（Hard Disk Drive）やＳＳＤ（Solid State Drive）などの大容量の記録媒体を備える記録装置２、タッチパネル式の操作端末３−１，３−２、操作端末からの入力によりカメラや記録装置を制御するサーバ４により構成され、それぞれインターネット等のネットワークによって接続される。
なお、カメラ１はパン・チルト・ズーム機能搭載としたが固定型のカメラでもよく、複数でなくてもよい。また、記録装置２も説明を簡単にするために１つとしたが、複数あってもよい。また、操作端末３−１，３−２は、特に区別して説明する必要がない場合には単に操作端末３と、以下称することとする。
【００１５】
カメラ１は監視領域を撮像して映像を取得し、ネットワークを介して記録装置２へ出力し、記録装置２は入力された映像を記録媒体に記録する。操作端末３は操作者の操作や設定に従ってサーバ４へ制御信号を出力し、サーバ４は当該制御信号に従ってカメラ１や記録装置２を制御する。なお、カメラ１および記録装置２と操作端末との信号やデータのやり取りは、記載が省略されていても基本的にはサーバ４を介してなされるものとする。操作端末３から指定されたカメラ１へリアルタイムの映像を要求すると、カメラ１は操作端末３へ取得した映像を出力し、操作端末３は受信した映像を表示する。また、操作端末３から指定されたカメラ１のパン・チルト・ズームを制御するよう要求すると、カメラ１は要求の内容に従ってパン・チルト・ズームを制御する。また、操作端末３から日時やカメラ名等で指定した記録映像を記録装置２へ要求すると、記録装置２は指定された記録映像を操作端末３へ出力し、操作端末３は受信した記録映像を表示する。
【００１６】
また、カメラ１または記録装置２は映像を操作端末３および／または図示しない表示装置へ出力し、操作端末３および／または表示装置４では映像の表示設定に従って映像を表示する。表示設定については、操作端末３において、操作者が操作することで表示装置に表示する映像を設定することができる。操作画面については後述するが、大型ディスプレイの場合は画面分割、複数のディスプレイを組み合わせた疑似的な大画面ディスプレイの場合はディスプレイごとの配置を割り当てる操作をし、表示装置に表示設定する。但し、ディスプレイの枠にこだわらず、自由なサイズ、配置で表示するように設定することも可能である。表示装置には、カメラ１−１〜１−ｎからのリアルタイム映像を表示することが多いが、記録装置２に記録された映像をカメラ名ごとや日付ごと等で指定して表示させることも可能である。
【００１７】
また、図１に示す映像表示システムの操作端末３は、データを通信可能な形式に変換して送受信する通信部３０１、操作端末３の各部を制御するとともにジェスチャ情報の判定処理等を実行する制御部３０２、ＲＯＭ（Read Only Memory）やＲＡＭ（Random Access Memory）等でジェスチャ情報３０３Ａやアプリケーション３０３Ｂを記憶する記憶部３０３、操作者のジェスチャを認識するタッチセンサ３０４Ａと文字や映像等を表示する表示部３０４Ｂを備えるタッチパネル３０４、戻るボタンや電源ボタン等の入力部３０５、プログラム３０３Ｂの機能と連携して動作する加速度センサ３０６、ＦｅｌｉＣａ（登録商標）やＢｌｕｅｔｏｏｔｈ（登録商標）などの近距離通信が可能な近距離通信部３０７から構成される。なお、操作端末３−２についても、基本的に操作端末３−１と同様の構成を有するものとする。
【００１８】
タッチセンサ３０４Ａは表示部３０４Ｂの上に全面に渡って設けられ、タッチセンサ３０４Ａは、表面弾性波方式や静電容量方式などを用いて操作者のタッチを伴うジェスチャを認識し、表示部３０４Ｂは、制御部３０２によって描画される文字や映像等を表示する。
【００１９】
ジェスチャ情報３０３Ａはタッチセンサ３０４Ａによって認識された操作者のジェスチャの特徴に対応して記憶された操作コマンドに関する情報であり、プログラム３０３Ｂは例えばＯＳ（Operating System）、ジェスチャ情報３０４Ａを用いた判定処理プログラム、各種アプリケーションプログラム等である。
【００２０】
なお、ここでジェスチャとは、操作者のタッチパネル３０４へのタッチを伴う操作を意味し、タップ（タッチしてすぐに離す）、ドラッグ（タッチしたままスライドさせる）、ピンチイン（２点タッチし２点間を狭める様にスライドさせる）、ピンチアウト（２点タッチし２点間を離す様にスライドさせる）、スワイプ（掃く様にタッチしてスライドして離す）、ホールド（長押し）等といったものがある。
【００２１】
ジェスチャ操作による端末の具体的な動作は次の通り。
操作者がタッチパネル３０４に対してジェスチャ操作すると、タッチセンサ３０４Ａによって操作者のジェスチャが認識され、制御部３０２はジェスチャ情報３０４を参照して操作コマンドを生成し、操作コマンドに基づいてプログラム３０３Ｂを実行する。そして、プログラム実行結果を描画し表示部３０４Ｂに表示する。
【００２２】
また、入力部３０５が操作されることによる動作も、記憶部３０３に記憶された情報を参照して操作コマンドを生成し、プログラム３０３Ｂを実行することで実現される。
【００２３】
上述した操作や自動実行プログラムにより通信が必要となった場合、通信部３０１は、制御部３０２からの制御信号等のデータを、３Ｇ回線やＷｉ−Ｆｉ等の方式を用いた無線ネットワークやＬＡＮ等の方式の有線ネットワークで通信可能な形式に変換して、サーバ４等へ向けてネットワークに出力する。
【００２４】
また、図１に示す映像表示システムのサーバ４は、データを通信可能な形式に変換して送受信する通信部４０１、サーバ４の各部を制御する制御部４０２、カメラ１や記録装置２や操作端末３の制御や管理といった映像監視システムを運用するためのプログラムである監視システム管理部４０３、映像監視システムに関するデータやアプリケーションに関するデータを記憶するデータベース４０４、映像表示システムにおけるアプリケーションを管理するプログラムであり映像監視Ｖｉｅｗｅｒを実行するためのアプリケーション管理部４０３から構成される。監視システム管理部４０３は、制御部４０２により、データベース４０４内の監視システムデータ４０４Ａを適宜読み書きしながら実行される。また、アプリケーション管理部４０５は、制御部４０２により、データベース４０４内のアプリケーションデータ４０４Ｂを適宜読み書きしながら実行される。アプリケーション管理部４０５は、データを暗号化する暗号化手段４０５Ａ、権限を譲渡または譲受可能か否かを判定する認証手段４０５Ｂを備えており、制御部４０２によりアプリケーションデータ４０４Ｂを用いながらそれぞれの処理が実行される。なお、図示はしないが、操作端末３のプログラム３０３Ｂおよびサーバ４のアプリケーション管理部４０５には、暗号化手段および、暗号化手段４０５Ａで暗号化したデータを復号化する復号化手段を備えるものとし、秘匿性の高い通信を可能としている。
【００２５】
サーバ４は、通信部４０１を介して操作端末３から制御信号を受信すると、制御部４０２が、制御信号に応じて監視システム管理部４０３またはアプリケーション管理部４０５の対応する処理を実行し、データベース４０４にデータを保存したり通信部４０１から制御等の信号を出力したりする。
【００２６】
これにより、タッチパネル式の操作端末３を用いて映像監視することができる。
【００２７】
なお、ここで、カメラ１がメモリーカード等の大容量の記録媒体を備え、撮像した映像を自らに記録する場合には、記録装置２は必要なく、カメラ１は記録装置２の機能も含めて操作端末３と通信する。この場合、上述した記録装置２と操作端末３との通信内容は全てカメラ１と操作端末３との通信に置き換えることができ、カメラ１は操作端末３からの要求がカメラ制御機能に関するものか記録機能に関するものかを判別して動作する。従って、この映像表示システムはカメラ１と操作端末３とサーバ４のみで成立し、物理的なシステム構成を簡素化することができる。
【００２８】
次に、図２〜図９を用いて、操作端末３に表示される映像監視インターフェース上での操作権限の譲渡方法について説明する。
図２〜図６は、操作端末３−１において現在ログインしているアカウントを操作端末３−２に譲渡する様子を示すものであり、図７〜図９は、操作端末３−２において操作端末３−１が現在ログインしているアカウントを譲受する様子を示すものである。
【００２９】
図２〜６において、操作端末３−１のタッチパネル３０４に表示される操作画面は、カメラ１または記録装置２の映像を表示する映像表示領域５０１、接続されたカメラ１−１〜１−ｎの映像とカメラ名、設置場所及びフロア情報をサムネイル状に表示するサムネイル表示領域５０２、敷地内や建物のフロアの地図を実際にカメラが設置されている場所に対応して表示されるカメラアイコンと共に表示するマップ表示領域５０３、操作画面やモードの切り替えや権限譲渡などの他の各種設定画面に遷移するためのメニューボタン５０４から構成される。本実施形態ではマップ表示領域５０３には建物の単一のフロアが表示されているが、複数のフロアや建物を同時に表示する様にしてもよいし、建物ではなく屋外にカメラが設置されている場合には屋外の地図を表示する様にしてもよい。矢印アイコンは、ポインタであり、ユーザのタッチ操作に伴って画面上を移動し、アイコンの選択等のグラフィックを表示する。
【００３０】
映像表示領域５０１は、サムネイル表示領域５０２に表示されるサムネイル映像やマップ表示領域５０３に表示されるカメラアイコンやサムネイル映像等が選択されることで、選択された映像が表示される。
【００３１】
サムネイル表示領域５０２は、実際に接続されているカメラ１−１〜１−ｎの映像がカメラ情報と共にカメラ名順等で複数表示され、上下にドラッグやスワイプされることにより、表示されている分より多くのカメラ映像がある場合には表示されていない映像がスライドして次々と表示される。
【００３２】
マップ表示領域５０３には、本実施例では建物の１Ｆの地図（間取り図）と、実際にカメラが配置されている場所に対応するカメラアイコンと、カメラアイコンのそばに対応する映像が小さく表示される。右下には「１Ｆ」の様に現在の選択している場所が表示され、右の三角をタップすることで監視対象の場所がプルダウン/アップでリスト表示され、所望の監視場所をタップすることでマップを切り替えることができる。またこのとき、マップ切り替えに伴って、サムネイル表示領域５０３にはその監視場所に設置されたカメラの映像が画面上部に来る様にジャンプさせたり、その監視場所に設置されたカメラの映像のみを表示させたりする様にしてもよい。
【００３３】
メニューボタン５０４は、タップによって選択されると、図３に示すメニュー選択領域５０４−１が表示される。この中で「権限譲渡」をタップにより選択すると、図４に示す権限譲渡先候補を検索する譲渡先選択画面５０４−２が表示され、操作端末３−１が現在ログインしているアカウントの権限譲渡先を検索する。譲渡先を検出すると、譲渡先選択画面５０４−２に検出された譲渡先である操作端末３−２の機器ＩＤ「ＨｉＫ０００１ｂ」が表示される。そして、タップにより当該機器ＩＤが選択されると、図６に示す選択先が正しいか確認する確認画面５０４−３が表示され、「Ｙｅｓ」がタップにより選択されると、選択された操作端末３−２へアカウントを譲渡する処理を開始し、「Ｎｏ」が選択されると譲渡先選択画面５０４−２へ戻る。なお、各画面において戻るボタンがタップにより選択されると、１つ前の画面に戻る。
【００３４】
一方、図７〜図９において、操作端末３−２のタッチパネル３０４に表示される操作画面はログイン画面であり、ログイン領域６０１にログインのためのアカウントＩＤおよびパスワードを入力する入力欄と、ログインボタンと、権限譲受ボタン６０２が表示される。入力欄に正しいＩＤとパスワードが入力されログインボタンがタップにより選択されると、当該アカウントにて映像監視Ｖｉｅｗｅｒにログインすることができ、図２に示す操作画面が表示される。また、ログイン画面にて権限譲受ボタンがタップにより選択されると、図８に示す権限譲渡先検索中の端末がないか検索する検索画面が表示され、検索を開始する。権限譲渡先検索中の端末が見つかると、図９に示す権限譲受元である操作端末３−１の機器ＩＤ「ＨｉＫ００１ａ」が表示され、「Ｙｅｓ」がタップにより選択されると、選択された操作端末３−１からアカウントを譲受する処理を開始し、「Ｎｏ」が選択されると検索画面５０４−２へ戻り、再度権限譲渡先検索中の端末がないか検索する。
【００３５】
図１０は、本発明の映像表示システムの端末ごとの対応する操作権限を示す権限管理表であり、機器ＩＤと、機器ＩＤごとにログインが許可されているアカウントが対応付けられている。この権限管理表は、サーバ４のデータベース４０４内のアプリケーションデータ４０４Ｂとして記憶されており、映像監視Ｖｉｅｗｅｒへのログイン時や権限譲渡処理時に適宜読み出される。アカウントは、権限レベルに応じて例えば３段階に分かれており、全ての設定や操作が可能な「Ａｄｍｉｎｉｓｔｒａｔｏｒ」、映像の閲覧やカメラ操作、記録指示等が可能な「Ｕｓｅｒ」、映像の閲覧のみ可能な「Ｖｉｅｗｅｒ」が用意されている。なお、本実施例では３アカウントに分けているが、各アカウントの権限や階層数に制限はなく、システムに応じて適宜設定可能である。
【００３６】
操作端末とアカウントとの関係は、本実施例の場合、機器ＩＤ「ＨｉＫ００１ａ」である操作端末３−１は、「Ａｄｍｉｎｉｓｔｒａｔｏｒ」「Ｕｓｅｒ」「Ｖｉｅｗｅｒ」の全てのアカウントでログイン可能であり、機器ＩＤ「ＨｉＫ００１ｂ」である操作端末３−２は、「Ｕｓｅｒ」「Ｖｉｅｗｅｒ」のみ可能である。なお、操作端末３−２が操作端末３−１から「Ａｄｍｉｎｉｓｔｒａｔｏｒ」のアカウントを譲受しようとしても、操作端末３−２にはそのアカウントが設定されていないため、譲受することはできず、その旨が操作画面によりユーザに通知される。「Ｕｓｅｒ」「Ｖｉｅｗｅｒ」のアカウントであれば、譲受可能である。
【００３７】
次に、図１１〜図１３の本発明の映像表示システムにおける権限譲渡の様子の一例を示すタイミングチャートを用いて、権限譲渡処理のシステム側の動作について説明する。
【００３８】
図１１は、権限譲渡先検索に加速度センサを用いたマッチング機能を使用する場合の操作端末３−１、操作端末３−２およびサーバ４間の処理と通信について示している。
【００３９】
操作端末３−１および操作端末３−２によりそれぞれ譲渡ボタンが選択され、操作端末３がユーザによりそれぞれ激しく振られると、加速度センサ３０６により急激な加速を検出し、制御部３０２は位置情報とともにサーバ４へマッチング要求を通知する。この時、操作端末３−１には図４の画面が表示され、操作端末３−２には図８の画面が表示される。サーバ４は、操作端末３−１および操作端末３−２からマッチング要求を受信すると、同時刻に同じ一からマッチング要求を送信してきた２台の端末をマッチングし、操作端末３−１と操作端末３−２がマッチングされる。マッチングが完了すると、サーバ４は、操作端末３−１に対してマッチング結果である操作端末３−２の機器ＩＤ「ＨｉＫ００１ｂ」を通知し、操作端末３−２に対してマッチング結果である操作端末３−１の機器ＩＤ「ＨｉＫ００１ａ」を通知する。操作端末３−１はマッチング結果を受け取ると図５に示す画面を表示し、操作端末３−２は図９に示す画面を表示する。操作端末３−１で図６の画面において譲渡先決定「Ｙｅｓ」が選択され、操作端末３−２で図９の画面において譲受元決定「Ｙｅｓ」が選択されると、それぞれサーバ４へ通知する。サーバ４は、それぞれの決定通知に基づいて、図１０に示す管理表を参照して、操作端末３−１が現在ログインしているアカウントが、操作端末３−２に許可されたアカウントに対応しているか、アプリケーション管理部４０５の認証手段４０５の処理により確認し、対応している場合には、操作端末３−１に対して強制ログアウト命令を送信し、操作端末３−２に対して強制ログイン命令を送信する。このとき、サーバ４は、操作端末３−１がログインしていた際の設定や状態に関する情報をアプリケーションデータ４０４Ｂに一時保存しておき、操作端末３−２がログインした際には、一時保存した設定や状態に関する情報をアプリケーションデータ４０４Ｂから読み出し、操作端末３−１のログアウト直前の状態から開始できるように権限移譲準備を実施する。操作端末３−１は、強制ログアウト命令を受信すると、ユーザの操作を伴うことなくログアウトを実行し、操作端末３−２は、強制ログイン命令を受信すると、ユーザの操作を伴うことなくログインを実行する。なお、操作端末３−１が現在ログインしているアカウントが、操作端末３−２に許可されたアカウントに対応していなかった場合には、アカウントが対応していない旨をそれぞれに通知し、強制ログイン命令および強制ログアウト命令を送信しない。これらの権限譲渡に関する通信は、暗号化手段４０５Ａなどの機能により暗号化されてやり取りされる。
【００４０】
これにより、位置情報および加速度センサの検出タイミングを用いて操作権限の譲渡／譲受相手をマッチングし、２台の端末間で相手を間違えることなく簡易的なユーザによる操作操作権限を譲渡することができる。
【００４１】
図１２は、権限譲渡先検索に近距離無線通信を用いたマッチング機能を使用する場合の操作端末３−１、操作端末３−２およびサーバ４間の処理と通信について示している。
【００４２】
操作端末３−１および操作端末３−２によりそれぞれ譲渡ボタンが選択され、ユーザにより操作端末３−１と操作端末３−２が互いに通信可能な距離まで近接されると、それぞれの近距離通信部３０７が互いの近距離通信部と通信を開始し、それぞれの機器ＩＤの交換を開始する。この時、操作端末３−１には図４の画面が表示され、操作端末３−２には図８の画面が表示される。機器ＩＤが交換されると、操作端末３−１には図５の画面が表示され、操作端末３−２には図９の画面が表示される。操作端末３−１で図６の画面において譲渡先決定「Ｙｅｓ」が選択され、操作端末３−２で図９の画面において譲受元決定「Ｙｅｓ」が選択されると、それぞれサーバ４へ通知する。サーバ４は、それぞれの決定通知に基づいて、図１０に示す管理表を参照して、操作端末３−１が現在ログインしているアカウントが、操作端末３−２に許可されたアカウントに対応しているか、アプリケーション管理部４０５の認証手段４０５の処理により確認し、対応している場合には、操作端末３−１に対して強制ログアウト命令を送信し、操作端末３−２に対して強制ログイン命令を送信する。このとき、サーバ４は、操作端末３−１がログインしていた際の設定や状態に関する情報をアプリケーションデータ４０４Ｂに一時保存しておき、操作端末３−２がログインした際には、一時保存した設定や状態に関する情報をアプリケーションデータ４０４Ｂから読み出し、操作端末３−１のログアウト直前の状態から開始できるように権限移譲準備を実施する。操作端末３−１は、強制ログアウト命令を受信すると、ユーザの操作を伴うことなくログアウトを実行し、操作端末３−２は、強制ログイン命令を受信すると、ユーザの操作を伴うことなくログインを実行する。なお、操作端末３−１が現在ログインしているアカウントが、操作端末３−２に許可されたアカウントに対応していなかった場合には、アカウントが対応していない旨をそれぞれに通知し、強制ログイン命令および強制ログアウト命令を送信しない。これらの権限譲渡に関する通信は、暗号化手段４０５Ａなどの機能により暗号化されてやり取りされる。
【００４３】
また、譲渡／譲受相手の検索においては、譲渡側である操作端末３−１が譲渡先である操作端末３−２の機器ＩＤを取得し、サーバ４へ譲渡許可通知を送信し、サーバ４により権限譲渡可を判断して権限譲渡処理を進めるようにしてもよい。このとき操作端末３−２は、互いの操作端末を近接させた後は、サーバ４からログイン通知が届き、確認のためにログインする旨のボタンが選択されてから映像監視Ｖｉｅｗｅｒにログインすることになる。
【００４４】
これにより、近距離無線通信を用いて操作権限の譲渡／譲受相手を特定し、２台の端末間で相手を間違えることなく簡易的なユーザによる操作で操作権限を譲渡することができる。
【００４５】
図１３は、権限譲渡先検索に携帯電話端末やタブレット端末であれば標準的に搭載されているメール機能またはＷｅｂメール機能などの通信機能を用いたマッチング機能を使用する場合の操作端末３−１、操作端末３−２およびサーバ４間の処理と通信について示している。
【００４６】
操作端末３−１により譲渡ボタンが選択されると、制御部３０２はにサーバ４へ譲渡先検索要求を通知する。この時、操作端末３−１には図４の画面が表示される。サーバ４は、操作端末３−１からマッチング要求を受信すると、アプリケーションデータ４０４Ｂを参照してアカウントに応じた権限譲渡可能な端末をピックアップし、操作端末３−１に対して検索結果である操作端末３−２の機器ＩＤ「ＨｉＫ００１ｂ」を通知する。操作端末３−１はマッチング結果を受け取ると図５に示す画面を表示する。ここでは、例として譲渡可能な操作端末３として１台該当となっているが、複数台候補が挙がっても構わない。操作端末３−１で図６の画面において譲渡先決定「Ｙｅｓ」が選択されると、サーバ４へ譲渡先決定の通知を送信する。サーバ４は、決定通知に基づいて、図１０に示す管理表を参照して、操作端末３−１が現在ログインしているアカウントが、操作端末３−２に許可されたアカウントに対応しているか、アプリケーション管理部４０５の認証手段４０５の処理により確認し、対応している場合には、操作端末３−１に対して強制ログアウト命令を送信し、操作端末３−２に対してログイン命令をメール等により送信する。このとき、サーバ４は、操作端末３−１がログインしていた際の設定や状態に関する情報をアプリケーションデータ４０４Ｂに一時保存しておき、操作端末３−２がログインした際には、一時保存した設定や状態に関する情報をアプリケーションデータ４０４Ｂから読み出し、操作端末３−１のログアウト直前の状態から開始できるように権限移譲準備を実施する。操作端末３−１は、強制ログアウト命令を受信すると、ユーザの操作を伴うことなくログアウトを実行し、操作端末３−２は、ログイン命令を受信すると、ユーザに対してログイン要求があった旨を通知して、ログイン操作がされることにより映像監視Ｖｉｅｗｅｗにログインする。なお、操作端末３−１が現在ログインしているアカウントが、操作端末３−２に許可されたアカウントに対応していなかった場合には、アカウントが対応していない旨をそれぞれに通知し、強制ログイン命令および強制ログアウト命令を送信しない。これらの権限譲渡に関する通信は、暗号化手段４０５Ａなどの機能により暗号化されてやり取りされる。
【００４７】
これにより、メール機能などを用いて操作権限の譲渡相手を特定し、２台の端末間で相手を間違えることなく簡易的なユーザによる操作で操作権限を譲渡することができる。
【００４８】
以上に詳述したように、タッチパネル式の操作端末を用いて、加速度センサや近距離無線通信やメール等と連携し、複数の操作端末間でタッチを伴う簡易的なジェスチャ操作を実行することで、映像監視インターフェースソフトへのログイン権限を譲渡することができ、自由度の高い映像監視システムの運用を実現することができる。
【００４９】
なお、本発明は上記各実施形態に限定されるものではない。例えば、上記実施形態では、タッチパネルを用いた携帯端末の場合で説明したが、これに限定されるものではなく、この他にもタッチパネル式でない携帯型の操作端末であってもよい。
【００５０】
また、以上の実施例では映像監視インターフェースソフトへのログイン権限の譲渡について説明したが、現在表示している映像のスナップショットなどを譲渡するようにしてもよく、その際には、受信側端末の認証を必要としても良いし、必要としなくても良い。
【００５１】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【００５２】
（付記１）
前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、所定の現象を検知する検知手段と、を有し、前記アプリケーションよって実行されるシステムに所定のアカウントでログインしている第一の操作端末と、ログインしていない第二の操作端末と、
前記操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、を備えるアプリケーション管理システムにおいて、
前記第一の操作端末および前記第二の操作端末では、前記検知手段により所定の現象を検知すると、前記制御手段が前記所定の事象を検知したことを検知信号として前記通信手段を介して前記サーバへ送信し、
前記サーバでは、前記第一の操作端末または前記第二の操作端末より前記検知信号を受信すると、前記制御手段が同じタイミングで検知信号を送信した操作端末の存在の有無を判定し、有と判断した場合に、前記データベースを参照し、前記第二の操作端末に対し前記第一の操作端末がログインしているアカウントでのログインが許可されているか否かを判定し、許可されていた場合に、前記第一の操作端末から前記第二の操作端末に対して前記アカウントの操作権限を譲渡することを特徴とすることを特徴とするアプリケーション管理方法。
【００５３】
（付記２）
前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、近距離無線通信により他の操作端末と情報を送受信する近距離通信手段と、を有し、前記アプリケーションよって実行されるシステムに所定のアカウントでログインしている第一の操作端末と、ログインしていない第二の操作端末と、
前記操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、を備えるアプリケーション管理システムにおいて、
前記第一の操作端末および前記第二の操作端末では、前記近距離手段により互いの機器情報が送受信されると、前記制御手段が前記機器情報を受信したことを検知信号として前記通信手段を介して前記サーバへ送信し、
前記サーバでは、前記第一の操作端末および前記第二の操作端末より前記検知信号を受信すると、前記データベースを参照し、前記第二の操作端末に対し前記第一の操作端末がログインしているアカウントでのログインが許可されているか否かを判定し、許可されていた場合に、前記第一の操作端末から前記第二の操作端末に対して前記アカウントの操作権限を譲渡することを特徴とすることを特徴とするアプリケーション管理方法。
【００５４】
（付記３）
前記サーバとの間でデータを送受信する通信手段と、表示面に操作画面を表示する表示手段と、ユーザからの入力を検出する入力手段と、映像を表示するソフトウェアであるアプリケーションと、前記アプリケーションを実行する制御手段と、を有し、前記アプリケーションよって実行されるシステムに所定のアカウントでログインしている第一の操作端末と、ログインしていない第二の操作端末と、
操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバと、を備えるアプリケーション管理システムにおいて、
前記第一の操作端末では、現在ログインしているアカウントの権限譲渡先検索要求を前記通信手段を介して前記サーバへ送信し、
前記サーバでは、前記第一の操作端末より権限譲渡先検索要求を受信すると、前記データベースを参照し、前記第一の操作端末がログインしているアカウントでのログインが許可されている操作端末を検索し、許可されている前記操作端末に関する情報を前記通信手段を介して前記第一の端末に送信し、
前記第一の端末は、前記許可されている前記操作端末に関する情報に基づいて、前記第二の操作端末に対して権限譲渡する旨の譲渡先指定通知を前記通信手段を介して前記サーバへ送信し、
前記サーバは、前記譲渡先指定通知を受信すると、前記第一の操作端末から指定された前記第二の操作端末に対して前記アカウントの操作権限を譲渡することを特徴とすることを特徴とするアプリケーション管理方法。
【００５５】
（付記４）
操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバであって、
前記操作端末より所定の事象を検知した旨の検知信号を受信すると、前記制御手段が同じタイミングで前記検知信号を送信した他の操作端末の存在の有無を判定し、有と判断した場合に、前記データベースを参照し、前記他の操作端末に対し前記操作端末がログインしているアカウントでのログインが許可されているか否かを判定し、許可されていた場合に、前記操作端末から前記他の操作端末に対して前記アカウントの操作権限を譲渡することを特徴とすることを特徴とするサーバ。
【００５６】
（付記５）
操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバであって、
前記操作端末より他の操作端末の情報を受信すると、前記データベースを参照し、前記他の操作端末に対し前記操作端末がログインしているアカウントでのログインが許可されているか否かを判定し、許可されていた場合に、前記操作端末から前記他の操作端末に対して前記アカウントの操作権限を譲渡することを特徴とすることを特徴とするサーバ。
【００５７】
（付記６）
操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバにおいて、
前記操作端末より所定の事象を検知した旨の検知信号を受信すると、前記制御手段が同じタイミングで前記検知信号を送信した他の操作端末の存在の有無を判定し、有と判断した場合に、前記データベースを参照し、前記他の操作端末に対し前記操作端末がログインしているアカウントでのログインが許可されているか否かを判定し、許可されていた場合に、前記操作端末から前記他の操作端末に対して前記アカウントの操作権限を譲渡することを特徴とすることを特徴とするアプリケーション管理方法。
【００５８】
（付記５）
操作端末との間でデータを送受信する通信手段と、前記操作端末と利用可能アカウントとの対応関係を記憶するデータベースと、前記アプリケーションを管理するアプリケーション管理手段と、前記アプリケーション管理手段を制御する制御手段と、を有するサーバにおいて、
前記操作端末より他の操作端末の情報を受信すると、前記データベースを参照し、前記他の操作端末に対し前記操作端末がログインしているアカウントでのログインが許可されているか否かを判定し、許可されていた場合に、前記操作端末から前記他の操作端末に対して前記アカウントの操作権限を譲渡することを特徴とすることを特徴とするアプリケーション管理方法。
【符号の説明】
【００５９】
１：カメラ、２：記録装置、３：操作端末、３０１：通信部、３０２：制御部、３０３：記憶部、３０３Ａ：ジェスチャ情報、３０３Ｂ：プログラム、３０４：タッチパネル、３０４Ａ：タッチセンサ、３０４Ｂ：表示部、３０５：入力部、３０６：加速度センサ、３０７：近距離通信部、４：サーバ、４０１：通信部、４０２：制御部、４０３：監視システム管理部、４０４：データベース、４０４Ａ：監視システムデータ、４０４Ｂ：アプリケーションデータ、４０５：アプリケーション管理部、４０５Ａ：暗号化手段、４０５Ｂ：認証手段。
【図１】
2015226089.tif 000003
【図２】
2015226089.tif 000004
【図３】
2015226089.tif 000005
【図４】
2015226089.tif 000006
【図５】
2015226089.tif 000007
【図６】
2015226089.tif 000008
【図７】
2015226089.tif 000009
【図８】
2015226089.tif 000010
【図９】
2015226089.tif 000011
【図１０】
2015226089.tif 000012
【図１１】
2015226089.tif 000013
【図１２】
2015226089.tif 000014
【図１３】
2015226089.tif 000015